(57)【特許請求の範囲】
【請求項１】
下記の要件（Ａ01）〜（Ａ08）を備えたことを特徴とする画像形成装置、
（Ａ01）表面にトナー像を担持して、前記トナー像を記録シートに転写する転写領域を通過して回転移動するトナー像担持体、
（Ａ02）前記記録シートの一面目にトナー像を形成するため、給紙トレイから取り出した記録シートを、シート用転写領域および定着領域へと順次搬送するシート搬送装置、
（Ａ03）前記シート用転写領域に配置されて前記シート用転写領域を通過する記録シートに前記トナー像担持体表面のトナー像を転写するシート用転写ロール、
（Ａ04）前記トナー像が転写された記録シートを挟持して前記記録シート上のトナー像を加熱定着する一対の定着部材と、前記定着部材表面からの記録シートの剥離性を良くするために前記定着部材表面に離型剤を塗布する離型剤塗布装置とを有し、前記定着領域に配置された定着装置、
（Ａ05）両面記録を行う場合に、前記１面目にトナー像が形成され且つ前記定着領域通過後の記録シートを、表裏反転させてから前記シート用転写領域および定着領域に順次再送する前記シート搬送装置、
（Ａ06）前記転写領域の下流側の前記トナー像担持体表面の回転移動経路に沿って配置され、前記トナー像担持体表面に付着したトナーを擦り取るトナー像担持体クリーニング部材を有するトナー像担持体クリーナ、
（Ａ07）前記シート用転写領域の下流側の前記シート用転写ロール表面の回転移動経路に沿って配置され、前記シート用転写ロール表面に付着したトナーを擦り取る転写ロールクリーニング部材を有する転写ロールクリーナ、
（Ａ08）前記シート用転写領域と前記トナー像担持体クリーニング部材との間のトナー像担持体表面または前記シート用転写領域と前記転写ロールクリーニング部材との間のシート用転写ロール表面の少なくとも一方の表面に付着した離型剤を除去する、離型剤除去用粉体を表面に保持する前記離型剤除去部材。
【請求項２】
下記の要件（Ａ09）を備えたことを特徴とする請求項１記載の画像形成装置、
（Ａ09）前記少なくとも一方の表面に回転接触する前記離型剤除部材。
【請求項３】
下記の要件（Ａ010）を備えたことを特徴とする請求項１または２記載の画像形成装置、
（Ａ010）離型剤除去用粉体の飛散を防止するハウジング内に配置された前記離型剤除去部材。
【請求項４】
下記の要件（Ａ011），（Ａ012）を備えたことを特徴とする請求項１ないし３のいずれか記載の画像形成装置、
（Ａ011）磁力を有する前記離型剤除去部材、
（Ａ012）前記磁力により離型剤除去部材表面に保持される前記離型剤除去用粉体。
【請求項５】
下記の要件（Ａ013），（Ａ014）を備えたことを特徴とする請求項１ないし３のいずれかに記載の画像形成装置、
（Ａ013）離型剤除去用粉体の帯電極性と反対極性の電圧を印加された前記離型剤除去部材、
（Ａ014）静電気力により前記離型剤除去部材表面に保持される前記離型剤除去用粉体。
【請求項６】
下記の要件（Ａ015）を備えたことを特徴とする請求項１ないし５のいずれか記載の画像形成装置、
（Ａ015）トナーにより構成された前記離型剤除去用粉体。
【請求項７】
下記の要件（Ａ016）〜（Ａ018）を備えたことを特徴とする請求項１ないし６のいずれか記載の画像形成装置、
（Ａ016）一様に帯電された表面に静電潜像が形成され、前記静電潜像がトナー像に現像された感光体表面のトナー像が１次転写される中間転写体、
（Ａ017）前記中間転写体により構成された前記トナー像担持体、
（Ａ018）前記中間転写体により構成されたトナー像担持体表面のトナー像を記録シートに２次転写する２次転写ロールにより構成された前記シート用転写ロール。
【請求項８】
下記の要件（Ａ019）〜（Ａ021）を備えたことを特徴とする請求項１ないし６のいずれか記載の画像形成装置、
（Ａ019）一様に帯電された表面に静電潜像が形成され、前記静電潜像がトナー像に現像される感光体、
（Ａ020）前記感光体により構成された前記トナー像担持体、
（Ａ021）前記感光体により構成されたトナー像担持体表面のトナー像を記録シートに転写する転写ロールにより構成された前記シート用転写ロール。
【発明の詳細な説明】
【０００１】
【発明の属する技術分野】
本発明は、トナーオフセット防止用の離型剤を用いた定着器を有し、両面プリント可能な電子写真複写機やレーザプリンタ等の画像形成装置に関し、特に、像担持体上に形成したたトナー像を中間転写体を介して記録シートに転写する画像形成装置に関する。
【０００２】
【従来の技術】
従来、カラー複写機等では、高画質維持性からその複写機等専用の記録シートを推奨し、かつ片面プリントが主流であった。しかし、近年では記録シート汎用性を持たせ、両面プリントも可能となっている。また、白黒複写機等では両面プリントは今や当然である。
感光体ドラム等の像担持体上に形成したトナー像を中間転写体に一次転写し、係るトナー像を中間転写体から記録シート等の記録媒体へ２次転写する画像形成装置として、特開昭６２−２０６５６７号公報等に開示されたものが知られている。
【０００３】
図９は従来技術の説明図で、トナーオフセット防止用の離型剤を用いた定着器を有し、両面プリント可能で且つ、像担持体上に形成したトナー像を中間転写体を介して記録シートに転写する両面カラー複写機（画像形成装置）の具体例の説明図である。
図９において、プラテンガラスＰＧ上に置かれた原稿（図示せず）からの反射光は、ＣＣＤでＲ（赤）、Ｇ（緑）、Ｂ（青）の電気信号に変換される。ＩＰＳ（イメージプロセッシングシステム）は、前記ＲＧＢの電気信号をＫ（黒）、Ｙ（イエロー）、Ｍ（マゼンタ）、Ｃ（シアン）の画像データに変換して記憶し、前記画像データを所定のタイミングで潜像形成用の画像データとしてレーザ駆動回路ＬDに出力する。
レーザ駆動回路ＬDは、入力された画像データに応じてレーザ駆動信号をＲＯＳ（ラスターオブスキャン、潜像書込装置）に出力する。
【０００４】
感光体ドラムからなる像担持体０１は矢印Ａ方向に回転しており、その表面は帯電器０２により一様に帯電された後、潜像書込位置Ｑ1において前記ＲＯＳ（潜像書込装置）のレーザビームＬにより露光走査されて静電潜像が形成される。フルカラー画像を形成する場合は、Ｋ（黒），Ｙ（イエロー），Ｍ（マゼンタ），Ｃ（シアン）の４色の画像に対応した静電潜像が順次形成され、モノクロ画像の場合はＫ（黒）画像に対応した静電潜像のみが形成される。
前記像担持体０１へのレーザビームＬによる潜像書込は、中間転写ベルトＢの非画像部に設けられた基準マークＢmをベルト位置センサＳＮbが検知してから所定の時間経時後に開始される。フルカラー画像の場合は、各色を重ね合わせるので、前記ベルト位置センサＳＮbが基準マークＢmを検知してからレーザビームＬによる潜像書込開始までの時間は各色同一である。
前記静電潜像が形成された像担持体０１表面は回転移動して現像領域Ｑ2、１次転写領域Ｑ3を順次通過する。
【０００５】
前記現像領域Ｑ2において前記静電潜像を現像するロータリ式の現像装置０３は、回転軸０３aとともに回転するＫ（黒），Ｙ（イエロー），Ｍ（マゼンタ），Ｃ（シアン）の４色の現像器０３K，０３Y，０３M，０３Cを有している。前記各色の現像器０３K，０３Y，０３M，０３Cの中のいずれかの現像器が、前記現像領域Ｑ2を通過する静電潜像をトナー像に現像する。
前記１次転写領域Ｑ3は、矢印Ａ方向に回転移動する中間転写ベルトＢがロール状の１次転写器Ｔ1により像担持体０１表面に圧接される領域である。前記１次転写器Ｔ1には現像装置０３で使用される現像用のトナーの帯電極性と逆極性の１次転写電圧が電源回路Ｅから供給される。前記電源回路ＥはコントロールＣにより制御される。
【０００６】
前記像担持体０１表面に現像されたトナー像Ｔnは前記１次転写領域Ｑ3において、１次転写器Ｔ1により中間転写ベルトＢに１次転写される。１次転写後、像担持体０１表面の残留トナーはクリーナ０６によりクリーニングされる。
【０００７】
前記矢印Ａ方向に回転移動する中間転写ベルトＢは、駆動ロール０７、テンションロール０８、アイドラロール０９，０９およびバックアップロール０１１により回転可能に支持されている。バックアップロール０１１には中間転写ベルトＢを挟んで２次転写ロール０１２が離隔および圧接可能（離接可能）に配置されており、前記２次転写ロール０１２が中間転写ベルトＢと圧接する領域（ニップ）により２次転写領域Ｑ4が形成されている。
また、前記バックアップロール０１１には電極ロール０１３が当接している。電極ロール０１３には前記トナーの帯電極性と同極性の２次転写電圧が電源回路Ｅから供給される。前記ロール０１１〜０１３により２次転写器Ｔ2が構成されている。
【０００８】
フルカラー画像を形成する場合、潜像書込位置Ｑ1において第１色目の静電潜像が形成され、現像領域Ｑ2において１色目のトナー像Ｔnが形成される。このトナー像Ｔnは、１次転写領域Ｑ3を通過する際に、１次転写器Ｔ1によって中間転写ベルトＢ上に静電的に１次転写される。その後同様にして、第１色目のトナー像Ｔnを担持した中間転写ベルトＢ上に、第２色目、第３色目、第４色目のトナー像Ｔnが順次重ねて１次転写され、最終的にフルカラーの多重トナー像が中間転写ベルトＢ上に形成される。
単色のモノカラー画像を形成する場合には１個の現像器のみを使用する。この場合、単色トナー像が中間転写ベルトＢ上に１次転写される。
【０００９】
前記１次転写された多重トナー像または単色トナー像が２次転写領域Ｑ4に移動するのにタイミングを合わせて、給紙トレイＴＲ1〜ＴＲ3または両面記録の場合に使用される反転トレイＴＲ0から所定のタイミングで取り出された記録シートＳが前記２次転写領域Ｑ4に搬送される。前記２次転写領域Ｑ4において２次転写器Ｔ2は、中間転写ベルトＢ上のトナー像を記録シートＳに静電的に一括して２次転写する。２次転写後の中間転写ベルトＢはベルトクリーナー０１４により残留トナーが除去される。
トナー像が２次転写された記録シートＳは、定着領域Ｑ5を通過する際に定着装置０１６により加熱定着された後、記録シート排出トレイＴＲ4に排出される。
【００１０】
前記定着装置０１６は内部にヒータ０１７hを有する加熱ロール０１７と、この加熱ロール０１７に圧接して配設された加圧ロール０１８を有している。前記定着装置０１６は、未定着トナー像Ｔnが形成された記録シートＳが上記加熱ロール０１７および加圧ロール０１８間を通過する際にトナー像Ｔnを定着する。前記定着の際、通常、上記記録シートＳの未定着トナー面が直接加熱ロール０１７の外周面に接触するため、記録シートＳ上の未定着トナーの一部が加熱ロール０１７側に転写され、そのトナーが加熱ロール０１７の１回転後に記録シートＳに再転写してしまう現象（トナーオフセット現象）が起こってしまう。このトナーオフセット現象を防止するために、加熱ロール０１７表面に離型剤を塗布する離型剤塗布装置０１９を設け、加熱ロール０１７表面にアミンオイルやシリコーンオイルを均一に塗布している。
【００１１】
【発明が解決しようとする課題】
前記図９の画像形成装置のように、像担持体（感光体ドラム）から半導電性の中間転写体に複数回トナー像を１次転写して、多重色画像を形成後、これを記録シート表面（１面目）に一括して２次転写及び定着し、永久画像を得、更に同様の工程で記録シート裏面（２面目）の永久画像を得る両面プリント可能な装置において、定着装置にトナーオフセット現象を防止するための離型剤塗布装置を設けた場合、離型剤の塗布は加熱ロール側であるが、少なくとも記録シート定着直前には前記加熱ロールと前記加圧ロールとは圧接する。従って、１面目定着時には記録シートの表裏面どちらにも離型剤が付着する。この記録シート裏面に画像を２次転写する際、中間転写体表面には記録シート裏面から、前記２次転写ロールには記録シート表面から離型剤が付着する。
【００１２】
さらに少なくとも２次転写直前には中間転写体と前記２次転写ロールとは圧接するので、前記２次転写ロールに付着した離型剤は中間転写体表面にも付着する。この中間転写体表面への離型剤付着により、離型剤が付着していない箇所との２次転写性に差ができてしまい、離型剤が付着した箇所は白く抜けてしまう、白抜けが発生するという問題点が生じた。
この問題点は、中間転写体を用いずに像担持体から直接記録シートに転写する両面プリント可能な装置においても同様で、像担持体に離型剤が付着し白抜けが発生してしまう。
【００１３】
このため、従来より中間転写体表面、像担持体表面、記録シートからの離型剤除去手段が提案されている。
例えば、特開平７−２６１５６６号公報に開示された手段は、中間転写体表面の離型剤等の不純物を、不純物を分解する材料を用いた部材を当接させて除去するものである。しかしこの手段では、例えば中間転写体表面にコート層がある場合等のように、他の機能部品には影響を及ぼさず、特定の離型剤だけを分解除去する材料開発は困難と思われる。
【００１４】
特開平６−１４８９９９号公報に開示された手段は、定着後の記録シート表面の離型剤を摺擦部材で除去するものである。
しかしこの手段では、ＯＨＰフィルム等の様に表面が均一で、離型剤の浸透がない場合は有効であろうが、普通紙では紙の繊維にも離型剤は浸透し、離型剤の完全除去は難しい。
【００１５】
特開平５−１０７９９３号公報に開示された手段は、像担持体のクリーニング装置下流に摺擦部材を設け、像担持体に付着した離型剤を除去するものである。
しかしこの手段では、像担持体表面を均一に摩耗させながら離型剤も除去するものであって、結果的に像担持体の寿命が短くなってしまう。また、摩耗させないまでも、ロール、ウエブ等単体で離型剤を除去しようとすると、ただ付着したまま伸びるだけで離型剤の除去は難しい。
【００１６】
なお、前記離型剤除去の問題点は、中間転写体を使用せずに、感光体から直接記録シートに転写する画像形成装置であって、１面目にトナー像を形成した記録シートを反転して２面目にトナー像を転写する装置においても、同様に問題となる。
すなわち、本発明は、トナー像を担持する感光体や中間転写体等のトナー像担持体から記録シートの両面にトナー像を形成する装置に適用可能である。
【００１７】
本発明は前述の事情に鑑み、下記（Ｏ01）の記載内容を課題とする。
（Ｏ01）離型剤を用いた定着器を有する両面プリント可能な装置において、感光体または中間転写体等のトナー像担持体表面や、それらに接触してトナー像を記録シートに転写する転写ロール表面に付着した離型剤を確実に除去し、離型剤付着による画像白抜けを防止すること。
【００１８】
【課題を解決するための手段】
次に、前記課題を解決した本発明を説明するが、本発明の説明において本発明の構成要素の後に付記したカッコ内の符号は、本発明の構成要素に対応する後述の実施例の構成要素の符号である。なお、本発明を後述の実施例の構成要素の符号と対応させて説明する理由は、本発明の理解を容易にするためであり、本発明の範囲を実施例に限定するためではない。
【００１９】
（本発明）
前記課題を解決するために、本発明の画像形成装置は、下記の要件（Ａ01）〜（Ａ08）を備えたことを特徴とする、
（Ａ01）表面にトナー像（Ｔn）を担持して、前記トナー像（Ｔn）を記録シート（Ｓ）に転写する転写領域（Ｑ4；Ｑ3）を通過して回転移動するトナー像担持体（Ｂ；１６）、
（Ａ02）前記記録シート（Ｓ）の一面目に前記トナー像（Ｔn）を形成するため、給紙トレイ（ＴＲ1〜ＴＲ3）から取り出した前記記録シート（Ｓ）を、シート用転写領域（Ｑ4；Ｑ3）および定着領域（Ｑ5）へと順次搬送するシート搬送装置（Ｓt）、
（Ａ03）前記シート用転写領域（Ｑ4；Ｑ3）に配置されて前記シート用転写領域（Ｑ4；Ｑ3）を通過する前記記録シート（Ｓ）に前記トナー像担持体（Ｂ；１６）表面の前記トナー像（Ｔn）を転写するシート用転写ロール（３０）、
（Ａ04）前記トナー像（Ｔn）が転写された記録シート（Ｓ）を挟持して前記記録シート（Ｓ）上の前記トナー像（Ｔn）を加熱定着する一対の定着部材（６１，６２）と、前記定着部材（６１，６２）表面からの前記記録シート（Ｓ）の剥離性を良くするために前記定着部材（６１，６２）表面に離型剤を塗布する離型剤塗布装置（６３）とを有し、前記定着領域（Ｑ5）に配置された定着装置（Ｆ）、
（Ａ05）両面記録を行う場合に、前記１面目に前記トナー像（Ｔn）が形成され且つ前記定着領域（Ｑ5）通過後の前記記録シート（Ｓ）を、表裏反転させてから前記シート用転写領域（Ｑ4；Ｑ3）および前記定着領域（Ｑ5）に順次再送する前記シート搬送装置（Ｓt）、
（Ａ06）前記転写領域（Ｑ4）の下流側の前記トナー像担持体（Ｂ；１６）表面の回転移動経路に沿って配置され、前記トナー像担持体（Ｂ；１６）表面に付着したトナーを擦り取るトナー像担持体クリーニング部材（４１b；１９b）を有するトナー像担持体クリーナ（４１；１９）、
（Ａ07）前記シート用転写領域（Ｑ4；Ｑ3）の下流側の前記シート用転写ロール（３０）表面の回転移動経路に沿って配置され、前記シート用転写ロール（３０）表面に付着したトナーを擦り取る転写ロールクリーニング部材（４２b）を有する転写ロールクリーナ（４２）、
（Ａ08）前記シート用転写領域（Ｑ4；Ｑ3）と前記トナー像担持体クリーニング部材（４１b；１９b）との間のトナー像担持体（Ｂ；１６）表面または前記シート用転写領域（Ｑ4；Ｑ3）と前記転写ロールクリーニング部材（４２b）との間のシート用転写ロール（３０）表面の少なくとも一方の表面に付着した離型剤を除去する、離型剤除去用粉体を表面に保持する前記離型剤除去部材（４３）。
【００２０】
（語句の説明）
前記本発明において、「トナー像担持体（Ｂ；１６）」は、次の要素を意味する。
（ａ）中間転写ドラム、中間転写ベルト（Ｂ）等の中間転写体を使用した画像形成装置では「中間転写体」を意味する。
（ｂ）中間転写体を使用しない画像形成装置では感光体ドラム（１６）、感光体ベルト等の感光体により構成された「像担持体（１６）」を意味する。
また、前記本発明において、「シート用転写ロール（３０）」は、次の要素を意味する。
（ｃ）中間転写ドラム、中間転写ベルト（Ｂ）等の中間転写体を使用した画像形成装置では、中間転写体に１次転写されたトナー像を記録シート（Ｓ）に２次転写する「２次転写ロール（３０）」を意味する。
（ｄ）中間転写体を使用しない画像形成装置では感光体ドラム、感光体ベルト等の感光体により構成された像担持体（１６）表面のトナー像を記録シート（Ｓ）に転写する「転写ロール（３０）」を意味する。
【００２１】
また、前記本発明において、「シート用転写領域（Ｑ4，Ｑ3）」は、次の要素を意味する。
（ｅ）中間転写ドラム、中間転写ベルト（Ｂ）等の中間転写体を使用した画像形成装置では中間転写体表面のトナー像を記録シートに２次転写する「２次転写領域（Ｑ4）」を意味する。
（ｆ）中間転写体を使用しない画像形成装置では感光体ドラム（１６）、感光体ベルト等の「感光体により構成された像担持体（１６）表面のトナー像を記録シート（Ｓ）に転写する「転写領域（Ｑ3）」を意味する。
【００２２】
（本発明の作用）
前記構成を備えた本発明の画像形成装置では、表面にトナー像（Ｔn）を担持して回転移動するトナー像担持体（Ｂ；１６）は、前記トナー像（Ｔn）を記録シート（Ｓ）に転写する転写領域（Ｑ4；Ｑ3）を通過する。シート搬送装置（Ｓt）は、記録シート（Ｓ）の一面目に前記トナー像（Ｔn）を形成するため、給紙トレイ（ＴＲ1〜ＴＲ3）から取り出した前記記録シート（Ｓ）を、シート用転写領域（Ｑ4；Ｑ3）および定着領域（Ｑ5）へと順次搬送する。
前記シート用転写領域（Ｑ4；Ｑ3）に配置されたシート用転写ロール（３０）は、前記シート用転写領域（Ｑ4；Ｑ3）を通過する前記記録シート（Ｓ）に前記トナー像担持体（Ｂ；１６）表面の前記トナー像（Ｔn）を転写する。
前記定着領域（Ｑ5）に配置された定着装置（Ｆ）の一対の定着部材（６１，６２）は、前記トナー像（Ｔn）が転写された前記記録シート（Ｓ）を挟持して前記記録シート（Ｓ）上の前記トナー像（Ｔn）を加熱定着する。前記定着装置（Ｆ）の離型剤塗布装置（６３）は、前記定着部材（６１，６２）表面からの前記記録シート（Ｓ）の剥離性を良くするために前記定着部材（６１，６２）表面に離型剤を塗布する。
【００２３】
両面記録を行う場合に、前記シート搬送装置（Ｓt）は、前記１面目に前記トナー像（Ｔn）が形成され且つ前記定着領域（Ｑ5）通過後の前記記録シート（Ｓ）を、表裏反転させてから前記シート用転写領域（Ｑ4；Ｑ3）および前記定着領域（Ｑ5）に順次再送する。
前記転写領域（Ｑ4）の下流側の前記トナー像担持体（Ｂ；１６）表面の回転移動経路に沿って配置されたトナー像担持体クリーナ（４１；１９）のトナー像担持体クリーニング部材（４１b；１９b）は、前記トナー像担持体（Ｂ；１６）表面に付着したトナーを擦り取る。前記シート用転写領域（Ｑ4；Ｑ3）の下流側の前記シート用転写ロール（３０）表面の回転移動経路に沿って配置された転写ロールクリーナ（４２）の転写ロールクリーニング部材（４２b）は、前記シート用転写ロール（３０）表面に付着したトナーを擦り取る。
離型剤除去用粉体を表面に保持する前記離型剤除去部材（４３）は、前記シート用転写領域（Ｑ4；Ｑ3）と前記トナー像担持体クリーニング部材（４１b；１９b）との間のトナー像担持体（Ｂ；１６）表面または前記シート用転写領域（Ｑ4；Ｑ3）と前記転写ロールクリーニング部材（４２b）との間のシート用転写ロール（３０）表面の少なくとも一方の表面に付着した離型剤を除去する。
前記離型剤除去部材（４３）表面に保持された離型剤除去用粉体により、前記離型剤を絡め取ることができるので、ロール、ウエブ等単体で除去する場合よりも確実に除去出来る。このため、離型剤が原因で生じる画像白抜けを防止することができる。
【００２４】
【発明の実施の形態】
（本発明の実施の形態１）
本発明の画像形成装置の実施の形態１は、前記本発明の画像形成装置において、下記の要件（Ａ09）を備えたことを特徴とする。
（Ａ09）前記少なくとも一方の表面に回転接触する前記離型剤除去部材（４３）。
【００２５】
（本発明の実施の形態１の作用）
前記構成を備えた本発明の画像形成装置の実施の形態１では、前記少なくとも一方の表面に回転接触する離型剤除去部材（４３）は、その表面に保持する離型剤除去用粉体により前記一方の表面に付着した離型剤をからめ取ることができるので、前記離型剤を確実に除去することができる。
【００２６】
（本発明の実施の形態２）
本発明の画像形成装置の実施の形態２は、前記本発明または本発明の実施の形態１の画像形成装置において、下記の要件（Ａ010）を備えたことを特徴とする。
（Ａ010）離型剤除去用粉体の飛散を防止するハウジング（４１a，１９a）内に配置された前記離型剤除去部材（４３）。
【００２７】
（本発明の実施の形態２の作用）
前記構成を備えた本発明の画像形成装置の実施の形態２では、前記離型剤除去部材は離型剤除去用粉体の飛散を防止するハウジング（４１a，１９a）内に配置される。前記ハウジング（４１a，１９a）としては、中間転写体表面、感光体表面の転写残りトナーを除去するトナー像担持体クリーナ（４１，１９）や転写ロール（３０）表面に付着したトナーを除去するロールクリーナ（４２）等のハンジング（４１a，４２a，１９a）を使用することができる。その場合、離型剤除去部材（４３）用のハウジングクリーナを別途設置する必要がなく、スペースを有効に使用できる。
【００２８】
（本発明の実施の形態３）
本発明の画像形成装置の実施の形態３は、前記本発明または本発明の実施の形態１もしくは２の画像形成装置において、下記の要件（Ａ011），（Ａ012）を備えたことを特徴とする。
（Ａ011）磁力を有する前記離型剤除去部材（４３）、
（Ａ012）前記磁力により離型剤除去部材（４３）表面に保持される前記離型剤除去用粉体。
【００２９】
（本発明の実施の形態３の作用）
前記構成を備えた本発明の画像形成装置の実施の形態３では、前記離型剤除去用粉体は、離型剤除去部材（４３）の磁力により離型剤除去部材（４３）表面に保持される。このため、前記離型剤除去用粉体は離型剤除去部材（４３）表面から飛散し難くく、且つ減少し難い。
【００３０】
（本発明の実施の形態４）
本発明の画像形成装置の実施の形態４は、前記本発明または本発明の実施の形態１ないし３のいずれかの画像形成装置において、下記の要件（Ａ013），（Ａ014）を備えたことを特徴とする。
（Ａ013）離型剤除去用粉体の帯電極性と反対極性の電圧を印加された前記離型剤除去部材（４３）、
（Ａ014）静電気力により前記離型剤除去部材（４３）表面に保持される前記離型剤除去用粉体。
【００３１】
（本発明の実施の形態４の作用）
前記構成を備えた本発明の画像形成装置の実施の形態４では、前記離型剤除去部材（４３）は、離型剤除去用粉体の帯電極性と反対極性の電圧を印加される。そして、前記離型剤除去用粉体は、静電気力により前記離型剤除去部材（４３）表面に保持される。このため、前記離型剤除去用粉体は離型剤除去部材（４３）表面から飛散し難くく、且つ減少し難い。
また、離型剤が極性を持っていれば、離型剤除去部材（４３）に離型剤を静電吸着させる電圧を印加することによって、より効果的に除去することができる。更に、トナーと離型剤が同極性であることによって、中間転写体（Ｂ）や感光体（１６）への離型剤の静電的付着は確実に防止できる。
【００３２】
（本発明の実施の形態５）
本発明の画像形成装置の実施の形態５は、前記本発明または本発明の実施の形態１ないし４のいずれかの画像形成装置において、下記の要件（Ａ015）を備えたことを特徴とする。
（Ａ015）トナーにより構成された前記離型剤除去用粉体。
【００３３】
（本発明の実施の形態５の作用）
前記構成を備えた本発明の画像形成装置の実施の形態５では、前記離型剤除去用粉体はトナーにより構成される。
前記離型剤除去部材（４３）表面には、離型剤が付着していない転写残余トナーが進入してくるため、離型剤除去部材（４３）に常にトナー（離型剤除去用粉体）が供給される。従って、離型剤除去部材（４３）に離型剤除去用粉体（トナー）を供給する必要がない。
【００３４】
（本発明の実施の形態６）
本発明の画像形成装置の実施の形態６は、前記本発明または本発明の実施の形態１ないし５のいずれかの画像形成装置において、下記の要件（Ａ016）〜（Ａ018）を備えたことを特徴とする。
（Ａ016）一様に帯電された表面に静電潜像が形成され、前記静電潜像がトナー像に現像された感光体（１６）表面のトナー像が１次転写される中間転写体（Ｂ）、
（Ａ017）前記中間転写体（Ｂ）により構成された前記トナー像担持体（Ｂ）、（Ａ018）前記中間転写体（Ｂ）により構成されたトナー像担持体（Ｂ）表面のトナー像を記録シート（Ｓ）に２次転写する２次転写ロール（３０）により構成された前記シート用転写ロール（３０）。
【００３５】
（本発明の実施の形態６の作用）
前記構成を備えた本発明の画像形成装置の実施の形態６では、前記トナー像担持体（Ｂ）は、中間転写体（Ｂ）により構成される。前記中間転写体（トナー像担持体）（Ｂ）は、一様に帯電された感光体（１６）表面に形成された静電潜像を現像したトナー像が１次転写される。
前記中間転写体（Ｂ）により構成されたトナー像担持体（Ｂ）表面のトナー像は、２次転写ロール（３０）により構成された前記シート用転写ロール（３０）により記録シート（Ｓ）に２次転写される。
前記離型剤除去用粉体を使用した離型剤除去部材（４３）は、このような画像形成装置にも適用できる。
【００３６】
（本発明の実施の形態７）
本発明の画像形成装置の実施の形態７は、前記本発明または本発明の実施の形態１ないし５のいずれかの画像形成装置において、下記の要件（Ａ019）〜（Ａ021）を備えたことを特徴とする。
（Ａ019）一様に帯電された表面に静電潜像が形成され、前記静電潜像がトナー像に現像される感光体（１６）、
（Ａ020）前記感光体（１６）により構成された前記トナー像担持体（Ｂ；１６）、
（Ａ021）前記感光体（１６）により構成されたトナー像担持体（１６）表面のトナー像を記録シート（Ｓ）に転写する転写ロール（３０）により構成された前記シート用転写ロール（３０）。
【００３７】
（本発明の実施の形態７の作用）
前記構成を備えた本発明の画像形成装置の実施の形態７では、前記トナー像担持体（１６）は、前記感光体（１６）により構成される。前記トナー像担持体（感光体）（１６）は、一様に帯電された表面に静電潜像が形成され、前記静電潜像がトナー像に現像される。
前記感光体（１６）により構成されたトナー像担持体（１６）表面のトナー像は、前記シート用転写ロール（３０）により記録シート（Ｓ）に転写される。
前記離型剤除去用粉体を使用した離型剤除去部材（４３）は、このような画像形成装置にも適用できる。
【００３８】
【実施例】
次に図面を参照しながら、本発明の実施の形態の例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前、後、右、左、上、下とする。
また、図中、「○」の中に「・」が記載されたものは紙面の裏から表に向かう矢印を意味し、「○」の中に「×」が記載されたものは紙面の表から裏に向かう矢印を意味するものとする。
【００３９】
（実施例１）
図１は本発明の実施例１の画像形成装置の斜視図である。図２は同実施例１の正断面図である。
図１および図２において、画像形成装置Ｕは、上面にプラテンガラス（透明な原稿台）ＰＧを有する画像形成装置本体としてのデジタル式の複写機Ｕ1と、前記プラテンガラスＰＧ上に着脱自在に装着される自動原稿搬送装置（オートドキュメントフィーダ、ＡＤＦ）Ｕ2を備えている。
前記自動原稿搬送装置Ｕ2は、複写しようとする複数の原稿Ｇが重ねて載置される原稿給紙トレイＴG1を有している。前記原稿給紙トレイＴG1に載置された複数の各原稿Ｇは順次プラテンガラスＰＧ上の複写位置を通過して原稿排紙トレイＴG2に排出されるように構成されている。
前記自動原稿搬送装置Ｕ2は、その後端部（−Ｘ端部）に設けた左右方向に延びるヒンジ軸（図示せず）により前記複写機Ｕ1に対して回動可能であり、原稿Ｇを作業者が手でプラテンガラスＰＧ上に置く場合に上方に回動される。
【００４０】
前記複写機Ｕ1は、ＵＩ（ユーザインタフェース）と、前記プラテンガラスＰＧの下方に順次配置された画像読取部としてのＩＩＴ（イメージインプットターミナル）および画像記録用作動部としてのＩＯＴ（イメージアウトプットターミナル）と、前記ＩＩＴおよびＩＯＴ間に設けられたＩＰＳ（イメージプロセッシングシステム）とを有している。
【００４１】
前記ＵＩは、ユーザがコピースタート等の作動指令信号を入力操作する部分であり、表示部、コピースタートボタン、コピー設定枚数入力キー、カラーモード設定キー等を有している。前記表示部には画像形成装置Ｕの現在の設定状態に関する情報の表示等が行われるようになっている。
複写機本体Ｕ1上面の透明なプラテンガラスＰＧの下方に配置された原稿読取装置としてのＩＩＴは、プラテンレジ位置（ＯＰＴ位置）に配置された露光系レジセンサ（プラテンレジセンサ）Ｓp、および露光光学系１を有している。この露光光学系１は、移動可能なランプユニット２を有しており、ランプユニット２は、原稿照明用のランプ３と第１ミラー４とを有している。
前記露光光学系１は、前記ランプユニット２の移動速度の１／２の速度で移動する移動ミラーユニット６を有している。この移動ミラーユニット６は、第２ミラー７および第３ミラー８を有している。
【００４２】
前記露光光学系１は、その移動および停止が露光系レジセンサＳpの検出信号により制御され、常時はホーム位置に停止している。
前記自動原稿搬送装置（オートドキュメントフィーダ）Ｕ2を使用して複写を行うＡＤＦモード場合は、前記露光光学系１はホーム位置に停止した状態で、プラテンガラスＰＧ上の複写位置を順次通過する各原稿Ｇを露光する。
原稿Ｇを作業者が手でプラテンガラスＰＧ上に置いて複写を行うプラテンモードの場合、前記ランプユニット２が原稿Ｇに対して平行に図１中左右方向（Ｙ軸方向）に移動し、前記移動ミラーユニット５が前記ランプユニット２の移動速度の１／２の速度で１／２の距離だけ移動する。そのとき、原稿Ｇとレンズ８との間の距離は一定に保たれるので、その間、前記ランプ３によって照明された原稿Ｇの反射光は、前記露光光学系１を通ってＣＣＤ（固体撮像素子）上に収束される。前記ＣＣＤは、その撮像面上に収束された原稿反射光を電気信号に変換する。
【００４３】
また、ＩＰＳは、前記ＩＩＴのＣＣＤで得られる読取画像のアナログ電気信号のゲインを調節してデジタル信号に変換し、シェーディング補正等を行って出力する画像読取データ出力手段１１を有している。また、ＩＰＳは、前記画像読取データ出力手段１１の出力する画像読取データが入力される書込画像データ出力手段１２を有しており、書込画像データ出力手段１２は画像データを一時的に記憶する画像メモリ１３を有している。
書込画像データ出力手段１２は、入力された前記画像読取データに濃度補正、拡大縮小補正等のデータ処理を施して、書込用画像データ（レーザ駆動データ）としてＩＯＴに出力する機能を有している。
前記ＩＰＳの書込画像データ出力手段１２が出力する画像書込データ（レーザ駆動データ）が入力されるＩＯＴのレーザ駆動信号出力装置１４は、入力された画像データに応じたレーザ駆動信号をＲＯＳ（光書込走査装置、すなわち、潜像形成装置）に出力する。
【００４４】
前記ＲＯＳの下方に配置された感光体ドラムからなる像担持体１６は、矢印Ａ方向に回転する。前記像担持体１６表面は帯電器１７により一様に帯電された後、潜像書込位置Ｑ1において前記ＲＯＳ（潜像書込装置）のレーザビームＬにより露光走査されて静電潜像が形成される。フルカラー画像を形成する場合は、Ｋ（黒），Ｙ（イエロー），Ｍ（マゼンタ），Ｃ（シアン）の４色の画像に対応した静電潜像が順次形成され、モノクロ画像の場合はＫ（黒）画像に対応した静電潜像のみが形成される。
前記像担持体１６へのレーザビームＬによる潜像書込は、中間転写ベルトＢの非画像部に設けられた基準マークＢmをベルト位置センサＳＮbが検知してから所定の時間経時後に開始される。フルカラー画像の場合は、各色を重ね合わせるので、前記ベルト位置センサＳＮbが基準マークＢmを検知してからレーザビームＬによる潜像書込開始までの時間は各色同一である。
前記静電潜像が形成された像担持体１６表面は回転移動して現像領域Ｑ2、１次転写領域Ｑ3を順次通過する。
【００４５】
前記現像領域Ｑ2において前記静電潜像を現像するロータリ式の現像装置Ｄは、回転軸Ｄaと前記回転軸Ｄaの周囲に装着されたＫ（黒），Ｙ（イエロー），Ｍ（マゼンタ），Ｃ（シアン）の４色の現像器ＤK，ＤY，ＤM，ＤCを有している。前記各色の現像器ＤK，ＤY，ＤM，ＤCの中のいずれかの現像器が、前記現像領域Ｑ2を通過する静電潜像をトナー像に現像する。
前記１次転写領域Ｑ3は、矢印Ａ方向に回転移動する中間転写ベルトＢがロール状の１次転写器Ｔ1により像担持体１６表面に圧接される領域である。前記１次転写器Ｔ1には現像装置Ｄで使用される現像用のトナーの帯電極性と逆極性の１次転写電圧が電源回路Ｅから供給される。前記電源回路ＥはコントロールＣにより制御される。
【００４６】
前記像担持体１６表面に現像されたトナー像Ｔnは前記１次転写領域Ｑ3において、１次転写器Ｔ1により中間転写ベルトＢに１次転写される。１次転写後、像担持体１６表面の残留トナーはクリーナ１９によりクリーニングされる。
前記中間転写ベルトＢはポリイミド、ポリカーボネイト、ポリエステル、ウレタン、ナイロン、アクリル、塩化ビニル等の樹脂又は各種ゴムにカーボンブラック等の帯電防止剤を適当量含有させ、例えば厚さ０.１ｍｍに形成された単層ベルトである。なお、中間転写ベルトＢは複層に形成する事が可能である。
【００４７】
前記矢印Ａ方向に回転移動する中間転写ベルトＢは、駆動ロール２６、テンションロール２７、アイドラロール２８，２８およびバックアップロール２９により回転可能に支持されている。バックアップロール２９には中間転写ベルトＢを挟んで２次転写ロール３０が離隔および圧接可能（離接可能）に配置されており、前記２次転写ロール３０が中間転写ベルトＢと圧接する領域（ニップ）により２次転写領域Ｑ4が形成されている。
また、前記バックアップロール２９には電極ロール３１が当接している。電極ロール３１には前記トナーの帯電極性と同極性の２次転写電圧が電源回路Ｅから供給される。前記ロール２９〜３１により２次転写器Ｔ2が構成されている。
【００４８】
前記バックアップロール２９は、絶縁性ロールを半導電性の薄層フィルムで被覆して形成されている。この薄層フィルムは厚さ１０μｍ〜２００μｍに形成され、その表面抵抗率が１０7〜１０11Ω／□（□＝単位面積）に調整されている。
また、前記２次転写ロール３０は心金が接地され且つ表面層の体積抵抗率が１０7Ωｃｍ以下の導電性ロールである。
【００４９】
フルカラー画像を形成する場合、潜像書込位置Ｑ1において第１色目の静電潜像が形成され、現像領域Ｑ2において１色目のトナー像Ｔnが形成される。このトナー像Ｔnは、１次転写領域Ｑ3を通過する際に、１次転写器Ｔ1によって中間転写ベルトＢ上に静電的に１次転写される。その後同様にして、第１色目のトナー像Ｔnを担持した中間転写ベルトＢ上に、第２色目、第３色目、第４色目のトナー像Ｔnが順次重ねて１次転写され、最終的にフルカラーの多重トナー像が中間転写ベルトＢ上に形成される。
単色のモノカラー画像を形成する場合には１個の現像器のみを使用する。この場合、単色トナー像が中間転写ベルトＢ上に１次転写される。
【００５０】
給紙トレイＴＲ1〜ＴＲ3に収容された記録シートＳまたは両面記録の場合に使用される反転トレイＴＲ0に一時的に収容された記録シートＳは、所定のタイミングでピックアップロール３６により取り出され、さばきロール３７で１枚づつ分離されて、複数の搬送ロール３８によりレジロール３９に搬送される。
前記レジロール３９に搬送された記録シートＳは、前記前記１次転写された多重トナー像または単色トナー像が２次転写領域Ｑ4に移動するのにタイミングを合わせて、２次転写領域Ｑ4に搬送される。
前記２次転写領域Ｑ4において前記２次転写器Ｔ2は、中間転写ベルトＢ上のトナー像を記録シートＳに静電的に一括して２次転写する。２次転写後の中間転写ベルト（トナー像担持体）Ｂはベルトクリーナ（トナー像担持体クリーニング部材）４１により残留トナーが除去される。また、前記２次転写ロール３０は２次転写ロールクリーナ４２により表面付着トナーが回収される。
【００５１】
図３は画像形成装置の実施例１で使用するベルトクリーナおよび２次転写ロールクリーナの説明図で、図３Ａはベルトクリーナの説明図、図３Ｂは２次転写ロールクリーナの説明図である。
図３において、前記ベルトクリーナ４１はハウジング４１a、クリーニングブレード４１bおよび前記クリーニングブレード４１bの上流側に配置された離型剤除去部材４３を有している。また、２次転写ロールクリーナ４２はハウジング４２a、クリーニングブレード（転写ロールクリーニング部材）４２bおよび前記離型剤除去部材４３と同様に構成された離型剤除去部材４３を有している。
前記離型剤除去部材４３は前記ハウジング４１aまたは４２aに支持された基板４４に固着された発泡ウレタンゴムにより構成されている。前記発泡ウレタンゴムの離型剤除去部材４３はその表面部分にトナーを保持している。離型剤除去部材４３はその表面にトナーをある程度保持でき、前記中間転写ベルトＢまたは２次転写ロール３０表面を摩耗もしくは傷付けない硬度であれば、材質はこの限りではない。また、離型剤除去部材４３へは、２次転写残余トナーが供給されるので、新たにトナー補給装置は必要ない。
【００５２】
なお、前記２次転写ロール３０およびベルトクリーナ４１は、中間転写ベルトＢと離接自在に配設されており、カラー画像が形成される場合には最終色の未定着トナー像が中間転写ベルトＢに１次転写されるまで、中間転写ベルトＢから離隔している。なお、前記２次転写ロールクリーナ４２は、前記２次転写ロール３０と一緒に離接移動を行う。
トナー像が２次転写された前記記録シートＳは、シートガイド４６、シート搬送ベルト４７により定着領域Ｑ5に搬送され、定着領域を通過する際に定着装置Ｆにより加熱定着される。
【００５３】
定着装置Ｆの下流側に配置された切替ゲート５１は、前記定着装置Ｆを通過した記録シートＳの搬送方向を排出トレイ５２またはシート反転路５３のいずれかの方向に切り替える。シート反転路５３に沿って複数のシート搬送ロール５４が配置されている。シート反転路５３は、シート循環路５６を介して前記反転トレイＴＲ0に接続されている。
前記シート反転路５３およびシート循環路５６の接続部に設けられたシート状且つ櫛の歯状のマイラーゲート５８は、通過する記録シートＳが下方に搬送される際には弾性変形により記録シートＳの下方への移動を許し、マイラーゲート５８を通過した記録シートＳがスイッチバックして上方に搬送される場合にはシート循環路５６の方向に誘導するように構成されている。
両面複写の場合には１面目のトナー像が転写された記録シートＳはシート反転路５３で反転されて反転トレイＴＲ0に一旦収容されてから、所定のタイミングで取り出されて前記２次転写領域Ｑ4に再送され、２面目にトナー像が転写される。
なお、前記符号３６〜３９，４６，４７，５１〜５８で示す構成要素からシート搬送装置Ｓtが構成される。
【００５４】
（定着装置）
前記定着装置Ｆは内部にヒータ（図示せず）を有する加熱ロール６１と、この加熱ロール６１に圧接して配設された加圧ロール６２により構成される一対の定着ロール６１，６２を有している。前記定着装置Ｆは、未定着トナー像Ｔnが形成された記録シートＳが上記加熱ロール６１および加圧ロール６２間の定着領域Ｑ5を通過する際に前記トナー像Ｔnを定着する。
前記定着の際、通常、上記記録シートＳの未定着トナー面が直接加熱ロール６１の外周面に接触するため、記録シートＳ上の未定着トナーの１部が加熱ロール６２側に転写され、そのトナーが加熱ロール６１の１回転後に記録シートＳに再転写してしまう現象（トナーオフセット現象）が起こってしまう。このトナーオフセット現象を防止するために、加熱ロール６１表面に離型剤を塗布する離型剤塗布装置６３が設けられている。離型剤塗布装置６３は、加熱ロール６１表面にアミンオイルやシリコーンオイルを均一に塗布している。
【００５５】
（実施例１の作用）
中間転写ベルトＢ表面には発泡ウレタンゴムの離型剤除去部材４３が当接しており、中間転写ベルトＢ表面と離型剤除去部材４３との間にはトナーが介在している。
図４は中間転写ベルトＢ表面に付着した離型剤量と白抜けの関係を示すグラフである。
前記図４のグラフが得られた条件は、プリント速度は２２０ｍｍ／ｓｅｃ、離型剤塗布装置６３の供給する離型剤量（所謂オイルレート）が５μｌ／Ａ４である。ここで、オイルレートは島津製作所製の原子吸光分光光度計ＡＡ６６００Ｇにて測定した。
【００５６】
また、高湿環境では用紙が含水しており、定着時に離型剤が記録シート（用紙）Ｓ内部にあまり浸透せず、記録シートＳ表面に付着しており、両面プリント時に中間転写ベルトＢに転移するため、離型剤による悪影響が大きくなる。従って、高温高湿環境（２８℃、８５％ＲＨ）で実験を行った。以上の条件のもと、両面で１００枚プリント後の中間転写ベルトＢ表面の離型剤量と白抜けの関係を従来（離型剤除去手段無し）と本発明とで比較した。
ここで、中間転写ベルトＢ表面の離型剤量は理学電機工業製の蛍光Ｘ線分析装置ＲＩＸ１０００にて離型剤に含まれるＳｉ成分を元素分析し、Ｓｉ強度（ｋｃｐｓ）として求めた。その結果、従来の離型剤除去手段が無い場合は、０．２ｋｃｐｓで白抜けが発生した。
【００５７】
また、ベルトクリーナ４１の下流に発泡ウレタンゴムを当接し、トナーが介在していない状態で離型剤の除去を試みたが離型剤除去部材４３が無い場合よりは除去できてはいるが、白抜けは発生した。ここで、白抜けが発生する離型剤量は０.１５ｋｃｐｓ以上であった。これに対し、本発明の発泡ウレタンゴム製の離型剤除去部材４３を当接し、表面にトナーが介在したものは、かなりの離型剤が除去でき、白抜けも未発生であった。
以上の様に、トナーが介在することによって、中間転写ベルトＢ表面に付着した離型剤は除去できる。
【００５８】
（実施例２）
図５は本発明の画像形成装置の実施例２の要部の説明図である。
なお、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
本実施例２では、離型剤塗布装置６３で使用した離型剤はアミンオイルであり、極性はトナーとは逆極性のプラス極性であった。従って、離型剤除去部材４３にマイナスバイアス（図５参照）を印加した。
本実施例２は、図４に示す様に、バイアス印加をしない時よりも効果的に離型剤を除去することができる。
【００５９】
（実施例３）
図６は本発明の画像形成装置の実施例３の要部の説明図である。
なお、この実施例３の説明において、前記実施例１の構成要素に対応する構成要素には同一の符号を付して、その詳細な説明を省略する。
この実施例３は、下記の点で前記実施例１と相違しているが、他の点では前記実施例１と同様に構成されている。
離型剤除去部材４３は磁力を持ち、表面外周には約５０μｍの磁性粉とトナーの混在粉体が保持されており、混在粉体が中間転写ベルトＢ表面に接触している。そして、離型剤除去部材４３は中間転写ベルトＢの回転方向とは逆方向または同方向で周速差を持って回転する。また、離型剤除去部材４３へは、２次転写残余トナーが供給されるので、新たにトナー補給装置は必要ない。
以上の構成で、図４に示す様に、トナーが介在することによって、中間転写ベルトＢ表面に付着した離型剤は除去できる。
【００６０】
（実施例４）
図７は本発明の画像形成装置の実施例４の要部の説明図である。
なお、この実施例４の説明において、前記実施例３の構成要素に対応する構成要素には同一の符号を付して、その詳細な説明を省略する。
この実施例４は、下記の点で前記実施例３と相違しているが、他の点では前記実施例３と同様に構成されている。
離型剤除去部材４３にマイナスバイアスを印加した。
前記構成を備えた実施例４は、図４に示す様に、印加しない時よりも効果的に離型剤を除去することができる。
【００６１】
以上の実施例１〜４を含めて本発明者が行った実験によれば、離型剤がトナーと逆極性の場合は、２次転写の際、用紙に付着している離型剤はかなりの割合で中間転写ベルトＢ表面に転移してしまう。この離型剤は上記に示した方式で除去することが出来るが、離型剤をトナーと同極性にすることによって、中間転写ベルトＢ表面への転移は極力抑えることができ、２次転写ロール３０表面のみに離型剤除去部材４３を接触させ、中間転写ベルトＢ表面の離型剤除去部材４３を省くことも可能である。なぜならクリーニングブレード４１b先端に滞留するトナーで僅かな離型剤は除去できるからである。
【００６２】
（実施例５）
図８は本発明の画像形成装置の実施例５の説明図である。
なお、この実施例５の説明において、前記実施例１の構成要素に対応する構成要素には同一の符号を付して、その詳細な説明を省略する。
この実施例５は、下記の点で前記実施例１と相違しているが、他の点では前記実施例１と同様に構成されている。
実施例５の画像形成装置Ｕは、前記実施例１の中間転写ベルトＢが省略されており、また、実施例１のロータリ式のカラーの現像装置Ｄの代わりにモノクロ画像形成用の黒の現像装置Ｄ′が設けられている。
【００６３】
したがって、感光体ドラムにより構成された像担持体１６表面に形成されたトナー像は転写領域Ｑ3において記録シートＳに転写される。そして、像担持体１６表面の残留トナーをクリーニングするクリーナ１９は、ハウジング１９a、クリーニングブレード１９bおよび前記クリーニングブレード１９bの上流側に配置された離型剤除去部材４３を有している。
この実施例５は前記クリーナ１９および前記２次転写クリーナ４２が離型剤除去部材４３を有しているので、モノクロ画像の両面記録を行う場合、前記実施例１と同様に、像担持体１６表面および転写ロールＴ1表面の離型剤を除去することができる。
【００６４】
（前記実施例１〜５の効果）
離型剤除去部材４３表面にトナー等の離型剤を除去できる粉体が介在し離型剤を絡め取ることができる為、ロール、ウエブ等単体で除去する場合よりも確実に離型剤を除去出来る。
また、離型剤除去部材４３を、クリーナのハウジング内に設けることによって、配置スペースを有効に使用できる。 更に、クリーナには常に離型剤が付着していない転写残余トナーが進入してくるため、離型剤除去部材４３にも常にトナーが供給される。従って、離型剤除去部材４３にトナー等の離型剤除去用の粉体を供給する必要がない。また、離型剤が極性を持っていれば、離型剤除去部材４３に離型剤を静電吸着させる電圧を印加することによって、より効果的に除去することができる。更に、帯電極性がトナーと同極性の離型剤を使用することによって、中間転写体や感光体への離型剤の静電的付着を確実に防止できる。
【００６５】
（変更例）
以上、本発明の実施例を詳述したが、本発明は前記実施例に限定されるものではなく、特許請求の範囲に記載された本発明を逸脱することなく、種々設計変更を行うことが可能である。本発明の変更実施例を下記に例示する。
（Ｈ01）本発明は、中間転写ドラムを使用した画像形成装置にも適用することができる。
（Ｈ02）前記定着装置Ｆの定着部材として、加熱ロール６１および加圧ロール６２により構成された一対の定着ロールを使用する代わりにいずれか一方または両方に定着用ベルトを使用したり、いずれか一方に従来公知の定着用フィルムや定着用パッド等を使用することが可能である。
【００６６】
【発明の効果】
前述の本発明の画像形成装置は、下記の効果を奏することができる。
（Ｅ01）離型剤を用いた定着器を有する両面プリント可能な装置において、感光体または中間転写体等のトナー像担持体表面や、それらに接触してトナー像を記録シートに転写する転写ロール表面に付着した離型剤を確実に除去し、離型剤付着による画像白抜けを防止することができる。
【図面の簡単な説明】
【図１】  図１は本発明の実施例１の画像形成装置の斜視図である。
【図２】  図２は同実施例１の正断面図である。
【図３】  図３は画像形成装置の実施例１で使用するベルトクリーナおよび２次転写ロールクリーナの説明図で、図３Ａはベルトクリーナの説明図、図３Ｂは２次転写ロールクリーナの説明図である。
【図４】  図４は中間転写ベルトＢ表面に付着した離型剤量と白抜けの関係を示すグラフである。
【図５】  図５は本発明の画像形成装置の実施例２の要部の説明図である。
【図６】  図６は本発明の画像形成装置の実施例３の要部の説明図である。
【図７】  図７は本発明の画像形成装置の実施例４の要部の説明図である。
【図８】  図８は本発明の画像形成装置の実施例５の説明図である。
【図９】  図９は従来技術の説明図で、トナーオフセット防止用の離型剤を用いた定着器を有し、両面プリント可能で且つ、像担持体上に形成したトナー像を中間転写体を介して記録シートに転写する両面カラー複写機（画像形成装置）の具体例の説明図である。
【符号の説明】
Ｆ…定着装置、Ｑ3…転写領域（１次転写領域）、Ｑ4…シート用転写領域、
Ｑ5…定着領域、Ｓ…記録シート、Ｓt…シート搬送装置、Ｔn…トナー像、
ＴＲ1〜ＴＲ3…給紙トレイ、
１６…像担持体、１９…トナー像担持体クリーナ、３０…転写ロール、４２…転写ロールクリーナ、４３…離型剤除去部材、６３…離型剤塗布装置。
【図１】
0003669161.tif 000002
【図２】
0003669161.tif 000003
【図３】
0003669161.tif 000004
【図４】
0003669161.tif 000005
【図５】
0003669161.tif 000006
【図６】
0003669161.tif 000007
【図７】
0003669161.tif 000008
【図８】
0003669161.tif 000009
【図９】
0003669161.tif 000010